(57)【要約】  【課題】低コストなカメラ用羽根駆動装置を提供すること。  【解決手段】第１固定子枠６と第２固定子枠７とによって回転子５を軸受けし、それらの軸受け部を囲むようにしてコイル８を巻回しており、回転子５と一体の出力ピン５ａによってシャッタ羽根や絞り羽根などを駆動する電流制御式のモータを備えたカメラ用羽根駆動装置において、コイル８への無通電時に、回転子５の停止状態を安定化させるために、第１固定子枠６に取り付けられている磁性体棒１０〜１３のうち、二つの磁性体棒１０，１１を、コイル８とフレキシブルプリント配線板との接合箇所とすることによって、コイル８のための専用の端子ピンを不要にしている。【選択図】  図３
2005173132.tif 000002
【特許請求の範囲】
【請求項１】
地板に対して往復作動可能に取り付けられている少なくとも１枚の羽根部材と、回転軸を中心にした円周面を有していて径方向に着磁された永久磁石と該回転軸の径方向位置に前記羽根部材を作動させるために設けられた少なくとも一つの出力ピンとからなる回転子と、一方が前記回転軸の一端を軸受けし他方が前記回転軸の他端を軸受けしていて少なくともいずれか一方が前記地板に取り付けられている二つの固定子枠と、前記二つの固定子枠にそれらの軸受け部を囲むようにして巻回されているコイルと、前記二つの固定子枠の一方に取り付けられているプリント配線板と、前記コイルの無通電時において前記回転子の停止状態を維持するために前記二つの固定子枠のうち前記地板から遠い方に配置されている固定子枠に対し各々の一端が突き出ているようにして前記回転軸と平行に取り付けられており該一端には前記コイルを接合している少なくとも二つの磁性体棒と、前記プリント配線板と前記二つの磁性体棒とを電気的に接続している接続手段と、を備えていることを特徴とするカメラ用羽根駆動装置。
【請求項２】
前記プリント配線板が、フレキシブルプリント配線板であることを特徴とする請求項１に記載のカメラ用羽根駆動装置。
【請求項３】
前記プリント配線板が、前記二つの固定子枠の一方に対し、前記地板側とは反対の面に取り付けられており、前記接続手段が、一端を前記プリント配線板に接合し他端を前記磁性体棒に接合した少なくとも２本のリード線であることを特徴とする請求項１又は２に記載のカメラ用羽根駆動装置。
【請求項４】
前記プリント配線板が、前記二つの固定子枠の一方に対し、前記地板側とは反対の面に取り付けられており、前記接続手段が、前記磁性体棒に接合されているコイルの延長部であり、それらの延長部の先端が前記プリント配線板に接合されていることを特徴とする請求項１又は２に記載のカメラ用羽根駆動装置。
【請求項５】
前記接続手段が、前記フレキシブルプリント配線板の延長部であって、その延長部の先端に設けられた各々の端子が前記磁性体棒の各々の前記一端に接合されていることを特徴とする請求項２に記載のカメラ用羽根駆動装置。
【発明の詳細な説明】
【技術分野】
【０００１】
本発明は、シャッタ羽根や絞り羽根などの羽根部材をモータで駆動するようにしたカメラ用羽根駆動装置に関する。
【背景技術】
【０００２】
カメラに採用されるシャッタ装置，絞り装置，フィルタ装置は、各々１枚又は複数枚の羽根部材を有している。そのうち、シャッタ装置の場合には、シャッタ羽根を３枚以上としたものもあるが、最近では、２枚としたものが多く、デジタルカメラ（デジタルスチルカメラ，デジタルビデオカメラ，携帯用情報端末装置内蔵のカメラなど）のうち、小型のカメラに採用されるものの中には、１枚だけとしたものも注目されている。そして、シャッタ羽根を１枚構成とした場合には、シャッタ羽根を往復回転させて露光開口を開閉させるのが普通であるが、２枚構成とした場合には、露光開口を開閉させるのに、２枚の羽根を相反する方向へ往復回転させるものと、相反する方向へ直線的に往復作動させるものとがある。
【０００３】
また、絞り装置の場合は、複数枚の絞り羽根を絞りリングによって同時に同方向へ回転させ、絞り口径の大きさを、円形に近い形状で変化させ得るようにしたものもあるが、最近では、デジタルカメラの出現に伴い、露光開口よりも小さな円形の開口部を有した１枚の絞り羽根を、必要に応じて露光開口に進退させるようにしたものが多くなっている。そして、絞り羽根を１枚構成とした場合には、露光開口へ進退させるのに、その絞り羽根を往復回転させるものと、直線的に往復作動させるものとがあり、２枚構成とした場合には、２枚の羽根を相反する方向へ往復回転させるものと、相反する方向へ直線的に往復作動させるものとがある。
【０００４】
更に、フィルタ装置の場合には、少なくとも１枚のフィルタ羽根を、必要に応じて露光開口に進退させるようにするのが普通であるが、その１枚のフィルタ羽根自体は、上記の１枚の絞り羽根と同様に円形の開口部（但し、露光開口と略同じ大きさの場合もある）を有していて、その開口部の近傍位置にその開口部を覆うようにしてＮＤフィルタ板を取り付けたものや、ＮＤフィルタ板だけでフィルタ羽根を構成したもののほか、円形の開口部を有する２枚の羽根の間にＮＤフィルタ板を挟み合わせ、三者をあたかも１枚の羽根であるかのように同時に同じ作動角で往復回転させるようにしたものもある。
【０００５】
ところで、上記の各羽根部材は、最近では、モータなどの電磁アクチュエータによって駆動されるのが普通であるが、その電磁アクチュエータとしては、ステップモータや電磁プランジャなどのほかに、ムービングマグネット（型）モータなどと称されている電流制御式のモータを用いることが知られている。このモータは、回転子が、径方向に着磁された永久磁石を有していて、その回転子が所定の角度範囲で往復回転すると、それと一体に設けられた一つ又は二つの出力ピン（駆動ピンなどともいう）が羽根部材を往復作動させるようになっている。また、回転子を軸受けしている固定子には、回転子の軸受け部を囲むようにして、一つ又は二つのコイルが巻回されており、コイルが一つの場合には、電流の供給方向を切り換えて、その供給方向に対応した方向へ回転子を回転させ、コイルが二つの場合には、両者に対して反対方向の電流を個別に供給したり同時に供給したりして、回転子を所定の方向へ回転させたり、磁力のバランス位置で停止させたりするようにしている。
【０００６】
この種の電流制御式のモータは、コイルへの無通電状態において、回転子の停止位置が安定しずらい。そこで、撮影の都度、羽根部材が必ず初期位置から作動を開始できるようにするために、撮影前に、ホール素子やフォトセンサなどによって、羽根部材の位置検出を行い、初期位置からずれた位置にあるときには、コイルへ通電して初期位置へ復帰させておいてから、撮影を開始するようにしたものが知られている。また、最初から、羽根部材が初期位置で安定状態を維持できるようにするために、回転子の磁極と対向する固定子側に磁性体棒を取り付けておき、コイルに通電していないときであっても、その磁性体棒と回転子の永久磁石との間に作用する吸引力によって、回転子の停止位置を安定化できるようにしたものも知られている（特許文献１参照）。本発明は、後者のように、磁性体棒を固定子に取り付けることによって、コイルへの無通電時における回転子の停止位置を安定化するようにした構成の電流制御式モータを備えたカメラ用羽根駆動装置に関する。
【特許文献１】特開２０００−２９２８２７号公報
【発明の開示】
【発明が解決しようとする課題】
【０００７】
ここで、図４及び図５を用いて、特許文献１に記載されている電流制御式モータを製作する場合におけるコイルの巻回方法と、プリント配線板に対するコイルの接続構成を説明する。尚、図４及び図５は、実施例の説明用の図２及び図３と対比し易く示したものであり、殆どの構成は実施例の場合と同じである。そのため、実質的に共通な部材，部位には実施例の場合と同じ符号を付けておいたので、全体の具体的な構成説明は、実施例の説明に譲るとして、ここでは、必要最小限の説明にとどめる。
【０００８】
モータユニットは、第１固定子枠６と第２固定子枠７とで回転子５を軸受け状態にしておき、コイル８を巻回することによって、ユニット化されている。四つの磁性体棒１０，１１，１２，１３は、全て第１固定子枠６に埋設されているが、これらは、周知のように、コイル８の無通電時において、回転子５の停止状態を安定化するためのものである。そして、この場合におけるコイル８の巻回方法は、コイル８の一端を、第２固定子枠７に設けられた端子ピンＡに巻き付けておき、二つの固定子枠６，７の巻回部に対して所定の回数だけ巻回した後は、コイル８の他端を、もう一つの端子ピンＢ（図５において、端子ピンＡの背部に隠れている）に巻き付けている。
【０００９】
このような構成のモータは、第２固定子枠７の２箇所で地板１に固定されている。即ち、１箇所は、ねじ１４で固定し、もう１箇所は、フレキシブルプリント配線板１５を上へ重ねておき、ねじ１６で固定している。そして、モータを地板１に取り付けた後、フレキシブルプリント配線板１５のパターン端子（ランド）と、コイル８とを接続しなければならないが、その場合には、端子ピンＡ，Ｂに巻き付ける長さよりもコイル８の両端部を予め長くしておき、それをフレキシブルプリント配線板１５側に引き回しておいて、半田で接合するようにしている。
【００１０】
ところで、このような従来の構成では、予め二つの専用の端子ピンＡ，Ｂを用意し、しかも、第２固定子枠７に植設しなくてはならない。また、端子ピンＡ，Ｂを地板１側に植設しているので、地板１に端子ピンＡ，Ｂの逃げ部を形成する必要がある。また、コイル８を地板１側からフレキシブルプリント配線板１５側に引き回さなければならないから、コイル８が断線をしないようにしておき、しかも、端子ピンＡ，Ｂや回転子５の出力ピン５ａが地板１にぶつからないようにして、地板１にモータを組み付けるのは面倒である。このようなことから、従来の構成では、コスト上で極めて問題である。
【００１１】
本発明は、このような問題点を解決するためになされたものであり、その目的とするところは、地板とは反対側に配置されている磁性体棒を、従来の端子ピンと兼用させることによって、部品点数が少なくなり且つ組立作業も容易になって、コスト上で極めて有利になるカメラ用羽根駆動装置を提供することである。
【課題を解決するための手段】
【００１２】
上記の目的を達成するために、本発明のカメラ用羽根駆動装置は、地板に対して往復作動可能に取り付けられている少なくとも１枚の羽根部材と、回転軸を中心にした円周面を有していて径方向に着磁された永久磁石と該回転軸の径方向位置に前記羽根部材を作動させるために設けられた少なくとも一つの出力ピンとからなる回転子と、一方が前記回転軸の一端を軸受けし他方が前記回転軸の他端を軸受けしていて少なくともいずれか一方が前記地板に取り付けられている二つの固定子枠と、前記二つの固定子枠にそれらの軸受け部を囲むようにして巻回されているコイルと、前記二つの固定子枠の一方に取り付けられているプリント配線板と、前記コイルの無通電時において前記回転子の停止状態を維持するために前記二つの固定子枠のうち前記地板から遠い方に配置されている固定子枠に対し各々の一端が突き出ているようにして前記回転軸と平行に取り付けられており該一端には前記コイルを接合している少なくとも二つの磁性体棒と、前記プリント配線板と前記二つの磁性体棒とを電気的に接続している接続手段と、を備えているようにする。その場合、前記プリント配線板が、フレキシブルプリント配線板であることが好ましい。
【００１３】
また、上記のカメラ用羽根駆動装置においては、前記プリント配線板が、前記二つの固定子枠の一方に対し、前記地板側とは反対の面に取り付けられており、前記接続手段が、一端を前記プリント配線板に接合し他端を前記磁性体棒に接合した少なくとも２本のリード線であるようにしてもよいし、前記接続手段が、前記磁性体棒に接合されているコイルの延長部であり、それらの延長部の先端が前記プリント配線板に接合されているようにしてもよい。更に、前記プリント配線板が、フレキシブルプリント配線板の場合には、前記接続手段が、前記フレキシブルプリント配線板の延長部であって、その延長部の先端に設けられた各々の端子が前記磁性体棒の各々の前記一端に接合されているようにしてもよい。
【発明の効果】
【００１４】
本発明は、地板から遠くに配置される第１固定子枠と、地板の近くに配置される第２固定子枠とによって回転子を軸受けし、それらの軸受け部を囲むようにしてコイルを巻回しており、回転子と一体の出力ピンによって羽根を駆動するようにしたカメラ用羽根駆動装置において、コイルへの無通電時に、回転子の停止状態を安定化させるために、第１固定子枠に取り付けられている少なくとも二つの磁性体棒を、コイルの端子ピンと兼用するようにしたから、従来よりも部品点数が少なくなり、且つ地板への取り付けも容易に行え、コストの面で極めて有効なものである。
【発明を実施するための最良の形態】
【００１５】
本発明の実施の形態を、図示した実施例によって説明する。本実施例は、上記のシャッタ装置，絞り装置，フィルタ装置のうち、相反する方向へ回転する２枚構成のシャッタ羽根を有するシャッタ装置として構成したものであり、図１は、実施例の平面図であり、図２は、図１の要部拡大図であり、図３は、図２の断面図である。尚、実施例のシャッタ装置は、デジタルカメラにも、銀塩フィルムカメラにも採用することの可能な構成をしているが、その作動説明に際しては、デジタルスチルカメラに採用されている場合を想定して説明することにする。
【００１６】
先ず、本実施例の構成を説明する。地板１と補助地板２は、中央部に円形をした同じ大きさの被写体光路用の開口部１ａ，２ａ（以下においては、開口部１ａが露光開口を規制しているものとして説明する）を有していて、それらの開口部１ａ，２ａを重ねるようにして図示していない手段によって相互に取り付けられ、両者の間に羽根室を構成しているが、図１においては、補助地板２を分かるようにするために、地板１の一部を切断して示してある。また、羽根室内に配置されているシャッタ羽根３，４は、地板１の羽根室側の面に設けられた軸１ｂ，１ｃに対して回転可能に取り付けられており、後述する回転子５の出力ピン５ａが嵌合する長孔３ａ，４ａを有している。
【００１７】
本実施例のモータは、電流制御式のモータのうち、特許文献１に記載されているような、一つの固定子コイルに対する通電方向に対応して、永久磁石製の回転子が、所定の角度範囲内でだけ往復回転するモータである。そこで、本実施例のモータの構成を、主に図２，図３を用いて説明する。回転子５は、コップを伏せたような形状をしている第１固定子枠６と、略平板状をしている第２固定子枠７とで軸受けされており、コイル８は、それらの固定子枠６，７の軸受け部を囲むようにして巻回され、その外側に、円筒形のヨーク９が嵌装されている。そして、第１固定子枠６には、回転子５の回転軸と平行に四つの長溝が形成されていて、各々１本ずつ磁性体棒１０，１１，１２，１３が、回転子５の円周面と対向するようにして挿入されている。そのうち、磁性体棒１２，１３は短くて、長溝内に埋設されているが、磁性体棒１０，１１は長くて、それらの一端が上方へ突き出ており、それらの一端に、コイル８の両端が巻き付けられている。
【００１８】
回転子５は、径方向に２極に着磁された永久磁石製であるが、回転軸は合成樹脂製であって、その回転軸と平行になるようにして成形された出力ピン５ａは、図３に示されているように、第２固定子枠７に形成されている長孔７ａと、地板１に形成されている長孔１ｄとを貫通して、羽根室内でシャッタ羽根３，４の長孔３ａ，４ａに嵌合している。尚、長孔１ｄ，７ａの平面形状が明記されていないが、それらは、周知のように、回転子５の回転軸を中心にした円弧状をしていて、出力ピン５ａがその両端に当接することによって、回転子５の回転が規制されるようになっている。また、図３においては、シャッタ羽根３，４と補助地板２の図示が省略されている。
【００１９】
尚、本実施例の場合には、回転子５が上記のような構成をしているが、この種のモータの回転子には、強磁性体材料とプラスチック材料とを混合した材料で成形したあと、径方向に２極に着磁するようにしたものもある。従って、その場合には、回転軸も出力ピンも永久磁石ということになるが、本発明の回転子は、そのようにして製作されたものであっても差し支えない。また、回転子の軸受け構成は、本実施例のように、回転子５の上下の回転軸位置に設けられた二つの軸部を、二つの固定子枠６，７の孔で軸受けするものに限定されず、特開２００２−２５０９５７号公報に記載されているように、回転子５の上下の回転軸位置に設けた二つの孔を、二つの固定子６，７に設けた軸部によって軸受けするようにしてもよい。従って、請求項の記載における回転軸とは、本実施例のような軸部に限定されず、回転子の回転中心を意味するものである。
【００２０】
次に、このような構成のモータを、地板１に取り付ける場合を説明する。上記の構成説明からも分かるように、モータ自体は、第１固定子枠６と第２固定子枠７とで回転子５を軸受け状態にしておき、コイル８を巻回することによって、ユニット化されている。そして、その場合におけるコイル８の巻回方法は、コイル８の一端を磁性体棒１０に巻き付けておいてから、第１固定子枠６の上面に形成された溝６ａ内を這わせて巻回部まで導き、二つの固定子枠６，７の巻回部に対して所定の回数だけ巻回した後は、他端を、第１固定子枠６の上面に形成された溝６ｂ内を這わせておいてから磁性体棒１１に巻き付けている。
【００２１】
このような構成のモータを地板１に取り付ける場合は、第２固定子枠２を２箇所で地板１に固定するようにしている。先ず、第２固定子枠７に形成されている孔と切欠きを地板１に設けられた位置決めピン１ｅ，１ｆに嵌合させておいてから、１箇所は、ねじ１４で固定し、その後、フレキシブルプリント配線板１５に設けられた孔を位置決めピン１ｅに嵌合させておいてから、もう１箇所を、フレキシブルプリント配線板１５と共に、ねじ１６によって固定している。このようにして、モータを地板１に取り付けた後、フレキシブルプリント配線板１５のパターンと、コイル８とを接続しなければならないが、その場合には、コイル８の両端を巻き付けた状態にある磁性体棒１０，１１に、フレキシブルプリント配線板１５の二つのランドに設けられた孔を上方から嵌めることによって、コイル８の両端をランドの上方へくぐらせておき、その上方から磁性体棒１０，１１も含めて半田によって接合させている。
【００２２】
尚、本実施例の場合は、第２固定子枠７に取付部を形成し、第２固定子枠７のみを地板１に固定するようにしているが、本発明は、そのような構成に限定されず、第１固定子枠６の形状を変えて取付部を形成し、二つの固定子枠６，７の取付部を重ねて地板１に固定してもよいし、特開２００２ー３１５２９４号公報に記載されているように、第１固定子枠６にだけ取付部を形成し、第１固定子枠６のみを地板１に固定するようにしてもよい。そのため、フレキシブルプリント配線板１５は、第２固定子枠７と共に地板１に固定されるとは限らず、第１固定子枠６と共に固定する場合もある。また、本実施例の場合は、フレキシブルプリント配線板１５を、第２固定子枠７の地板１とは反対側の面に重ねて地板１に固定しているが、第２固定枠７と地板１との間に挟むようにして、地板１に固定することも可能である。
【００２３】
また、本実施例の場合は、第２固定子枠７と共にフレキシブルプリント配線板１５を取り付け、そこから端部までの延長部に設けられた端子（ランド）を、磁性体棒１０，１１に接合させているが、本実施例は、そのような構成に限定されず、フレキシブルプリント配線板１５に延長部を設けることなく、リード線を２本用意し、それらの一端をフレキシブルプリント配線板１５に接合し、他端を磁性体棒１０，１１に接合するようにしてもよいし、コイル８の両端を延長して、それらの延長部の先端をフレキシブルプリント配線板１５に接合するようにしてもよい。従って、そのように、２本のリード線を用いたり、コイル８の両端を延長させたりする場合は、フレキシブルプリント配線板１５の端子（ランド）を直接磁性体棒１０，１１に接合させないので、フレキシブルプリント配線板１５の代わりに硬質のプリント配線板を用いても差し支えないことになる。
【００２４】
次に、本実施例のシャッタ装置の作動を、デジタルスチルカメラに採用した場合で説明する。図１は、既にカメラの電源がオンになっているが、撮影が行なわれる前の状態を示したものである。そのため、開口部１ａは全開となっていて、液晶ファインダによって被写体像を観察することが可能になっている。このとき、モータのコイル８には通電されていないが、回転子５には、回転子５の永久磁石と磁性体棒１０，１１，１２，１３の配置関係によって、図１において反時計方向へ回転する力が付与されており、回転子５の出力ピン５ａが、地板１に形成された円弧状の長孔１ｄの一端に接触した状態で、回転子５の停止位置が安定的に保たれ、シャッタ羽根３，４は、この初期位置を維持している。尚、このようなコイル８への無通電時において、回転子５に回転力が付与されている理由は周知である。そのため、具体的な説明を省略するが、特開２００２−１８２２６９号公報などに詳しく記載されている。
【００２５】
そこで、撮影に際してレリーズボタン（スイッチ）を押すと、固体撮像素子に蓄積されていた電荷が放出され、新たな電荷の蓄積が行われることによって撮影が開始される。そして、所定の制御時間が経過すると、コイル８に対して正方向の電流が供給され、図１に示されていない回転子５が、時計方向へ回転する。そのため、シャッタ羽根３，４の長孔３ａ，４ａに嵌合している出力ピン５ａによって、一方のシャッタ羽根３は時計方向へ回転され、他方のシャッタ羽根４は反時計方向へ回転されて、開口部１ａを閉鎖していく。その後、シャッタ羽根３，４が開口部１ａを完全に閉鎖すると、その直後に、出力ピン５ａが、長孔１ｄの他端に当接し、回転子５とシャッタ羽根３，４の回転が停止する。
【００２６】
このようにして、シャッタ羽根３，４の閉じ作動が終了すると、撮影によって蓄積された撮像情報が画像処理システムを介して記憶装置に転送され、その転送が終了すると、コイル８に対して、今度は逆方向の電流が供給される。回転子５は、それによって反時計方向へ回転され、その出力ピン５ａによって、一方のシャッタ羽根３を反時計方向へ回転させ、他方のシャッタ羽根４を時計方向へ回転させる。そのため、シャッタ羽根３，４は、開口部１ａを開放していく。その後、シャッタ羽根３，４が開口部１ａを全開にすると、その直後に、出力ピン５ａが、長孔１ｄの一端に当接して、回転子５とシャッタ羽根３，４の回転が停止する。そして、コイル８に対する通電を断つと、図１に示された状態に復帰したことになる。
【００２７】
尚、上記の実施例においては、回転子５の出力ピン５ａが、直接シャッタ羽根３，４に連結されているが、本発明は、そのような構成に限定されず、一般には開閉レバーなどといわれている部材を仲介させる構成にし、出力ピン５ａはその開閉レバーを往復回転させ、開閉レバーに設けられたピンがシャッタ羽根３，４の長孔３ａ，４ａに連結されているようにしても差し支えない。また、上記の実施例は、一般的にはレンズシャッタの構成ということになるが、本発明は、フォーカルプレンシャッタの羽根駆動装置とすることも可能であり、その場合にはモータを二つ用意し、別々のシャッタ羽根を作動させるようにすることもある。
【００２８】
また、上記の実施例の場合には、磁性体棒が四つ設けられているが、それらのうち、短い方の二つの磁性体棒１２，１３は、本発明にとって必ずしも必要なものではない。即ち、四つあればそれに越したことはないが、磁性体棒１０，１１だけでも、無通電時において、回転子５の停止位置を維持させることは可能である。また、上記の実施例では、コイルが一つだけであったが、既に述べたように、この種のモータには同じ巻回部に二つのコイルを巻回したタイプのものもある。そのようなタイプのものは、主に絞り装置の場合に用いられるが、その場合には、本実施例の磁性体棒１２，１３を、磁性体棒１０，１１のように長くして、もう一方のコイルを巻き付けるようにすればよい。
【００２９】
また、上記の実施例におけるシャッタ装置は、同時に相反する方向へ往復回転する２枚のシャッタ羽根を有したものであるが、本発明は、そのような構成だけに限定されるものではなく、周知のように、回転子に二つの出力ピンが設けられていて、２枚の羽根を相反する方向へ直線的に作動させるようにしたシャッタ装置や絞り装置として構成することもできるし、特許文献１に記載されているように、１枚の羽根を往復回転させるようにしたシャッタ装置や絞り装置としても構成することができる。また、絞り装置として構成する場合には、小さい絞り開口を有する１枚の絞り羽根を、直線的に往復作動させるようにすることもできるし、場合によっては、上記の実施例のように、２枚の絞り羽根を相反する方向へ往復回転させて絞り開口を制御するような構成にすることも可能である。
【００３０】
更に、本発明は、フィルタ装置としても構成することが可能である。その場合、フィルタ羽根としては、特許文献１に記載の絞り羽根と同じような形状の羽根部材に、その円形の開口部を覆うようにして、接着剤などでＮＤフィルタ板を取り付け（但し、開口部の大きさはＮＤフィルタ板の濃度との兼ね合いで決まる）、そのフィルタ羽根を往復回転させるようにしてもよいし、そのように往復回転するフィルタ羽根を、ＮＤフィルタ板だけで製作してもよい。また、特許文献１に記載の絞り羽根のように形成した羽根部材を２枚用意し、それらの間にＮＤフィルタ板だけで製作した羽根部材を重合し、それらを、あたかも１枚の羽根のようにして、同時に同角度で往復回転させるようにしてもよい。更には、それらの構成のフィルタ羽根を直線的に往復作動させるようにすることも可能である。
【図面の簡単な説明】
【００３１】
【図１】２枚羽根を有するシャッタ装置に適用した実施例の平面図である。
【図２】図１の要部を拡大して示した平面図である。
【図３】図２の断面図である。
【図４】図２と対応して示した従来例の平面図である。
【図５】図３と対応して示した従来例の断面図である。
【符号の説明】
【００３２】
１                            地板
１ａ，２ａ                    開口部
１ｂ，１ｃ                    軸
１ｄ，３ａ，４ａ，７ａ        長孔
１ｅ，１ｆ                    位置決めピン
２                            補助地板
３，４                        シャッタ羽根
５                            回転子
５ａ                          出力ピン
６                            第１固定子枠
６ａ，６ｂ                    溝
７                            第２固定子枠
８                            コイル
９                            ヨーク
１０，１１，１２，１３        磁性体棒
１４，１６                    ねじ
１５                          フレキシブルプリント配線板
Ａ，Ｂ                        端子ピン
【図１】
2005173132.tif 000003
【図２】
2005173132.tif 000004
【図３】
2005173132.tif 000005
【図４】
2005173132.tif 000006
【図５】
2005173132.tif 000007